(57)【要約】【課題】  簡素な構成で分離した記録シートがさばき領域に再突入することを防止すること。【解決手段】  給紙トレイに収容された記録シートを給紙する給紙実行位置と、前記記録シート（Ｓ）から離隔した給紙待機位置との間で移動可能な取出ロール（４１）と、前記取出ロール（４１）のシート搬送方向下流側に配置され、前記取出ロール（４１）により給紙された記録シートを１枚ずつ分離して搬送するさばき部材（２４＋４２）と、使用する記録シートのシート情報に応じて、前記取出ロール（４１）を前記給紙実行位置から前記給紙待機位置に移動させるロール移動タイミングを変更するロール移動タイミング変更手段（Ｃ７Ｂ）とを備えたシート搬送装置。【選択図】  図１０
2006069782.tif 000002
【特許請求の範囲】
【請求項１】
下記の構成要件（Ａ01）〜（Ａ03）を備えたことを特徴とするシート搬送装置、
（Ａ01）給紙トレイに収容された記録シートを給紙する給紙実行位置と、前記記録シートから離隔した給紙待機位置との間で移動可能な取出ロール、
（Ａ02）前記取出ロールのシート搬送方向下流側に配置され、前記取出ロールにより給紙された記録シートを１枚ずつ分離して搬送するさばき部材、
（Ａ03）使用する記録シートのシート情報に応じて、前記取出ロールを前記給紙実行位置から前記給紙待機位置に移動させるロール移動タイミングを変更するロール移動タイミング変更手段。
【請求項２】
下記の構成要件（Ａ04）を備えたことを特徴とする請求項１記載のシート搬送装置、
（Ａ04）手差しトレイにより構成された前記給紙トレイ。
【請求項３】
下記の構成要件（Ａ05）を備えたことを特徴とする請求項１または２記載のシート搬送装置、
（Ａ05）使用する記録シートが前記ロール移動タイミングを変更する対象であるタイミング変更シートである場合、前記ロール移動タイミングを、前記タイミング変更シート以外の場合の前記ロール移動タイミングに比べて遅くする前記ロール移動タイミング変更手段。
【請求項４】
下記の構成要件（Ａ06）を備えたことを特徴とする請求項１ないし３の何れか記載のシート搬送装置、
（Ａ06）使用する記録シートが前記ロール移動タイミングを変更する対象であるタイミング変更シートである場合、前記タイミング変更シートのシート搬送方向後端が前記さばき部材を通過した後に、前記取出ロールを前記給紙実行位置から前記給紙待機位置に移動させる前記ロール移動タイミング変更手段。
【請求項５】
下記の構成要件（Ａ07）を備えたことを特徴とする請求項１ないし４の何れか記載のシート搬送装置、
（Ａ07）前記シート情報としての記録シートサイズに応じて、前記ロール移動タイミングを変更するロール移動タイミング変更モードと、前記ロール移動タイミングを変更しないロール移動タイミング固定モードとを切り替える前記ロール移動タイミング変更手段。
【請求項６】
下記の構成要件（Ａ08）を備えたことを特徴とする請求項１ないし４の何れか記載のシート搬送装置、
（Ａ08）前記シート情報としての記録シートの種類に応じて、前記ロール移動タイミングを変更するロール移動タイミング変更モードと、前記ロール移動タイミングを変更しないロール移動タイミング固定モードとを切り替える前記ロール移動タイミング変更手段。
【請求項７】
下記の構成要件（Ａ09）を備えたことを特徴とする請求項５または６記載のシート搬送装置、
（Ａ09）ユーザの入力に応じて、前記ロール移動タイミング変更モードと前記ロール移動タイミング固定モードとを切り替えるモード切替手段。
【発明の詳細な説明】
【技術分野】
【０００１】
本発明は、給紙トレイに収容された記録シートを給紙するシート搬送装置に関し、特に、記録シートを給紙する取出ロールが給紙実行位置と給紙待機位置との間で移動可能なシート搬送装置に関する。
【背景技術】
【０００２】
ＦＡＸ、プリンタ、複写機等の従来の画像形成装置は、記録シートを搬送する原稿給紙装置や手差し給紙装置等のシート搬送装置を有している。前記シート搬送装置として、記録シートを給紙する取出ロールと、取出ロールのシート搬送方向下流側に配置され、取出ロールにより給紙された記録シートを下流側に搬送するフィードロールと、前記フィードロールに圧接して記録シートを１枚ずつ分離するリタードロールとを有するものが従来公知である。
前記フィードロールとリタードロールとの間で記録シートが１枚ずつ分離された時に、下流側に搬送される記録シートに引きずられて、分離された記録シートがフィードロールとリタードロールとの間（さばき領域）に再び搬送される場合がある。分離された記録シートがさばき領域に繰り返し搬送されると、騒音（捌き異音）が発生することがある。特に、密着していないＯＨＰシートの様な記録シートどうしの摩擦係数が低い記録シートを使用する場合や、はがきの様に記録シートのサイズが小さく、シート１枚の質量が軽い場合、記録シートが移動しやすいので、前記捌き異音が発生しやすい傾向がある。
【０００３】
前記分離された記録シートの移動を防止するための技術として、以下の従来技術（Ｊ01）が公知である。
（Ｊ01）特許文献１（特開平１−９２１３７号公報）記載の技術
特許文献１には、取出ロール（呼び出しコロ２）よりもシート搬送方向上流側に押さえコロ（７）を配置して、取出ロールが記録シートから離隔した後も、押さえコロ（７）により記録シートの上面を押さえることにより、分離された記録シートの移動を防止する技術が記載されている。この技術を用いれば最上面の記録シートにひきずられて分離された記録シートがさばき領域に再び搬送されることを防止する効果が期待できる。
【０００４】
【特許文献１】特開平１−９２１３７号公報（公報第２頁左下欄第２行〜第４頁左下欄第２行、第１図）
【発明の開示】
【発明が解決しようとする課題】
【０００５】
（従来技術の問題点）
前記従来技術（Ｊ01）では、取出ロール、フィードロール及びリタードロールに加え、押さえコロを新たに設ける必要があるので、コストの上昇、構成の複雑化、装置の大型化の問題が発生する。
前記押さえコロを設ける技術に替えて、取出ロールを記録シート束から離隔させず、常時、記録シートの束に圧接させる構成を採用し、取出ロールが記録シートを押圧する圧力により、分離された記録シートがさばき領域に繰り返し搬送されることを防止することが考えられる。しかしながら、手差し給紙トレイや原稿給紙トレイにおいて、取出ロールを常時記録シートに圧接させる給紙実行位置に保持すると、ユーザが記録シートを追加・補給する際に、取出ロールが邪魔になり記録シートを補給等できないという問題がある。また、給紙実行中、常時取出ロールを記録シート束に圧接させた場合、フィードロールにより搬送される記録シートに対して、圧接している取出ロールが搬送抵抗となるという問題もある。
【０００６】
本発明は、前述の事情に鑑み、次の記載内容（Ｏ01），（Ｏ02）を技術的課題とする。
（Ｏ01）簡素な構成で分離した記録シートがさばき領域に再突入することを防止すること。
（Ｏ02）記録シートの追加の際の邪魔にならず且つ搬送抵抗の発生を抑えつつ、分離した記録シートがさばき領域に再突入することを防止すること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明のシート搬送装置は、下記の構成要件（Ａ01）〜（Ａ03）を備えたことを特徴とする。
（Ａ01）給紙トレイ（ＴＲ０）に収容された記録シート（Ｓ）を給紙する給紙実行位置と、前記記録シート（Ｓ）から離隔した給紙待機位置との間で移動可能な取出ロール（４１）、
（Ａ02）前記取出ロール（４１）のシート搬送方向下流側に配置され、前記取出ロール（４１）により給紙された記録シート（Ｓ）を１枚ずつ分離して搬送するさばき部材（２４＋４２）、
（Ａ03）使用する記録シート（Ｓ）のシート情報に応じて、前記取出ロール（４１）を前記給紙実行位置から前記給紙待機位置に移動させるロール移動タイミングを変更するロール移動タイミング変更手段（Ｃ７Ｂ）。
【０００９】
（第１発明の作用）
前記構成要件（Ａ01）〜（Ａ03）を備えた第１発明のシート搬送装置では、取出ロール（４１）は、給紙トレイ（ＴＲ０）に収容された記録シート（Ｓ）を給紙する給紙実行位置と、前記記録シート（Ｓ）から離隔した給紙待機位置との間で移動できる。さばき部材（２４＋４２）は、前記取出ロール（４１）のシート搬送方向下流側に配置され、前記取出ロール（４１）により給紙された記録シート（Ｓ）を１枚ずつ分離して搬送する。ロール移動タイミング変更手段（Ｃ７Ｂ）は、使用する記録シート（Ｓ）のシート情報に応じて、前記取出ロール（４１）を前記給紙実行位置から前記給紙待機位置に移動させるロール移動タイミングを変更する。
【００１０】
（第１発明の形態１）
第１発明の形態１のシート搬送装置は、前記第１発明において、下記の構成要件（Ａ04）を備えたことを特徴とする。
（Ａ04）手差しトレイ（ＴＲ０）により構成された前記給紙トレイ（ＴＲ０）。
（第１発明の形態１の作用）
前記構成要件（Ａ04）を備えた第１発明の形態１のシート搬送装置では、前記給紙トレイ（ＴＲ０）は、手差しトレイ（ＴＲ０）により構成されている。
【００１１】
（第１発明の形態２）
第１発明の形態２のシート搬送装置は、前記第１発明または第１発明の形態１において、下記の構成要件（Ａ05）を備えたことを特徴とする。
（Ａ05）使用する記録シート（Ｓ）が前記ロール移動タイミングを変更する対象であるタイミング変更シートである場合、前記ロール移動タイミングを、前記タイミング変更シート以外の場合の前記ロール移動タイミングに比べて遅くする前記ロール移動タイミング変更手段（Ｃ７Ｂ）。
【００１２】
（第１発明の形態２の作用）
前記構成要件（Ａ05）を備えた第１発明の形態２のシート搬送装置では、ロール移動タイミング変更手段（Ｃ７Ｂ）は、使用する記録シート（Ｓ）が前記ロール移動タイミングを変更する対象であるタイミング変更シートである場合、前記ロール移動タイミングを、前記タイミング変更シート以外の場合の前記ロール移動タイミングに比べて遅くする。
【００１３】
（第１発明の形態３）
第１発明の形態３のシート搬送装置は、前記第１発明、第１発明の形態１、２のいずれかにおいて、下記の構成要件（Ａ06）を備えたことを特徴とする。
（Ａ06）使用する記録シート（Ｓ）が前記ロール移動タイミングを変更する対象であるタイミング変更シートである場合、前記タイミング変更シートのシート搬送方向後端が前記さばき部材（２４＋４２）を通過した後に、前記取出ロール（４１）を前記給紙実行位置から前記給紙待機位置に移動させる前記ロール移動タイミング変更手段（Ｃ７Ｂ）。
【００１４】
（第１発明の形態３の作用）
前記構成要件（Ａ06）を備えた第１発明の形態３のシート搬送装置では、ロール移動タイミング変更手段（Ｃ７Ｂ）は、使用する記録シート（Ｓ）が前記ロール移動タイミングを変更する対象であるタイミング変更シートである場合、前記タイミング変更シートのシート搬送方向後端が前記さばき部材（２４＋４２）を通過した後に、前記取出ロール（４１）を前記給紙実行位置から前記給紙待機位置に移動させる。
【００１５】
（第１発明の形態４）
第１発明の形態４のシート搬送装置は、前記第１発明、第１発明の形態１〜３の何れかにおいて、下記の構成要件（Ａ07）を備えたことを特徴とする。
（Ａ07）前記シート情報としての記録シートサイズに応じて、前記ロール移動タイミングを変更するロール移動タイミング変更モードと、前記ロール移動タイミングを変更しないロール移動タイミング固定モードとを切り替える前記ロール移動タイミング変更手段（Ｃ７Ｂ）。
【００１６】
（第１発明の形態４の作用）
前記構成要件（Ａ07）を備えた第１発明の形態４のシート搬送装置では、前記ロール移動タイミング変更手段（Ｃ７Ｂ）は、使用する記録シート（Ｓ）の前記シート情報としての記録シートサイズに応じて、前記ロール移動タイミングを変更するロール移動タイミング変更モードと、前記ロール移動タイミングを変更しないロール移動タイミング固定モードとを切り替える。
【００１７】
（第１発明の形態５）
第１発明の形態５のシート搬送装置は、前記第１発明、第１発明の形態１〜３の何れかにおいて、下記の構成要件（Ａ08）を備えたことを特徴とする。
（Ａ08）前記シート情報としての記録シート（Ｓ）の種類に応じて、前記ロール移動タイミングを変更するロール移動タイミング変更モードと、前記ロール移動タイミングを変更しないロール移動タイミング固定モードとを切り替える前記ロール移動タイミング変更手段（Ｃ７Ｂ）。
【００１８】
（第１発明の形態５の作用）
前記構成要件（Ａ08）を備えた第１発明の形態５のシート搬送装置では、ロール移動タイミング変更手段（Ｃ７Ｂ）は、使用する記録シート（Ｓ）の前記シート情報としての記録シート（Ｓ）の種類に応じて、前記ロール移動タイミングを変更するロール移動タイミング変更モードと、前記ロール移動タイミングを変更しないロール移動タイミング固定モードとを切り替える。
【００１９】
（第１発明の形態６）
第１発明の形態６のシート搬送装置は、前記第１発明の形態４、５の何れかにおいて、下記の構成要件（Ａ09）を備えたことを特徴とする。
（Ａ09）ユーザの入力に応じて、前記ロール移動タイミング変更モードと前記ロール移動タイミング固定モードとを切り替えるモード切替手段（Ｃ１１）。
【００２０】
（第１発明の形態６の作用）
前記構成要件（Ａ09）を備えた第１発明の形態６のシート搬送装置では、モード切替手段（Ｃ１１）は、ユーザの入力に応じて、前記ロール移動タイミング変更モードと前記ロール移動タイミング固定モードとを切り替える。
【発明の効果】
【００２１】
前述の本発明は、下記の効果（Ｅ01）〜（Ｅ04）を奏する。
（Ｅ01）簡素な構成で分離した記録シートがさばき領域に再突入することを防止することができ、異音の発生を抑えることができる。
（Ｅ02）記録シートの追加の際の邪魔にならず且つ搬送抵抗の発生を抑えつつ、分離した記録シートがさばき領域に再突入することを防止することができる。
（Ｅ03）シートサイズやシート種類に応じてロール移動タイミング変更モードとロール移動タイミング固定モードとを切り替え可能とすることにより、異音が発生しやすい記録シートを使用する場合には異音の発生を抑え、異音が発生しにくい記録シートを使用する場合には給紙間隔を小さくできる。
（Ｅ04）モード切替手段を有する場合には、ユーザの入力によりロール移動タイミング変更モードとロール移動タイミング固定モードとを切り替えることができる。
【発明を実施するための最良の形態】
【００２２】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２３】
図１は本発明の実施例の画像形成装置の全体説明図である。
図１において、実施例の画像形成装置（デジタル複写機）Ｕは、画像形成装置本体Ｕ１、自動原稿搬送装置Ｕ２を有している。前記画像形成装置本体Ｕ１は、ＩＯＴ（イメージアウトプットターミナル）、ＩＩＴ（イメージインプットターミナル、すなわち画像読取部）を有している。
前記自動原稿搬送装置Ｕ２は、ＩＩＴ上面のプラテンガラスＰＧ上に支持されている。
前記ＩＯＴ上面には上方のＩＩＴとの間にシート排出トレイＴＲｈが設けられている。
【００２４】
図１において、前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。前記自動原稿搬送装置Ｕ２は、その後端部（−Ｘ端部）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザがコピースタート等の作動指令信号を入力操作するＵＩ（ユーザインタフェース）を有している。
【００２５】
前記透明なプラテンガラスＰＧの下方には原稿画像を読み取るための露光光学系Ａが配置されている。
前記自動原稿搬送装置Ｕ２でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＲｔにバイアス電圧を印加する電源回路Ｅ等の動作はコントローラＣにより制御される。
【００２６】
感光体ドラムにより構成される像担持体ＰＲはその軸ＰＲａと一体的に矢印方向（図１で時計方向）に回転しており、その表面は、帯電ロールＣＲにより一様に帯電された後、潜像書込位置において前記ＲＯＳ（潜像形成装置）のレーザビームＬにより露光走査されて静電潜像が形成される。
前記静電潜像が形成された像担持体ＰＲ表面は回転移動して順次、現像領域（現像ロールＧａと対向する領域）、転写領域（転写ロールＲｔと対向する領域）Ｑ１を通過する。
【００２７】
現像装置Ｇは、現像ロールＧａ、現像剤攪拌部材Ｇｂ，Ｇｃ，Ｇｄを回転可能に支持し且つ現像剤を収容する現像容器Ｖを有しており、現像領域を通過する像担持体ＰＲ上の静電潜像をトナー像に現像する。
複数の給紙トレイＴＲ１〜ＴＲ４（図１参照）は、前記転写領域Ｑ１に搬送するための記録用シートＳを収容しており、その左右両側（Ｙ軸方向両側）に前後方向（図１で紙面に垂直な方向）に沿って配置された一対のレールＲＬ１，ＲＬ１に沿って移動可能に支持されている。
【００２８】
図１において、前記各給紙トレイＴＲ１〜ＴＲ４の給紙側上部に設けられた給紙装置Ｋは、取出ロール４１と、フィードロールおよびリタードロールを有するさばきロールＲｓとそれらを回転駆動する部材（図示せず）とを有している。給紙装置Ｋの取出ロール４１により取出された記録シートＳは、フィードロールＲｓ１およびリタードロールＲｓ２の圧接領域（さばき領域）で１枚ずつ分離されて、シート搬送路ＳＨに搬送される。シート搬送路ＳＨの記録シートＳは、シート搬送路ＳＨに沿って配置されたシート搬送ロール（テイクアウェイロール）ＲａによりレジロールＲｒに搬送される。レジロールＲｒ（図１参照）は、記録シートＳを前記転写領域Ｑ１に所定のタイミングで搬送する。
また、手差トレイＴＲ0から給紙された記録シートＳも、手差しシート搬送路ＳＨ５を搬送され、前記シート搬送路ＳＨに沿って配置されたシート搬送ロール（テイクアウェイロール）Ｒａ、レジロールＲｒにより前記転写領域Ｑ１に搬送される。
【００２９】
図１において、前記転写領域Ｑ１には転写バイアスが印加される転写ロールＲｔが配置されている。この転写ロールＲｔは転写領域Ｑ１において前記像担持体ＰＲに圧接しており、転写領域Ｑ１を通過する記録シートＳに像担持体ＰＲ上のトナー像を転写する。
像担持体ＰＲ表面のトナー像が転写領域Ｑ１において記録シートＳに転写された後、前記像担持体ＰＲは、クリーナＣＬにより表面に付着した残留トナーが回収される。前記クリーナＣＬにより表面に付着した残留トナーが回収された像担持体ＰＲは、前記帯電ロールＣＲにより帯電される。
【００３０】
前記転写領域Ｑ１において未定着のトナー像が転写された記録シートＳは、トナー像が未定着の状態で定着領域Ｑ２に搬送され、定着領域Ｑ２に配置された定着装置Ｆの一対の定着ロールＦｈ，Ｆｐによりトナー像が定着される。定着トナー像が形成された記録シートＳは、シートガイドにガイドされて排紙ロールＲ１に搬送され、シート排出口Ｈａからシート排出トレイＴＲｈに排出される。
【００３１】
プリンタＵ内部には前記シート排出口Ｈａに接続された本体シート反転路ＳＨ３が設けられている。前記手差しトレイＴＲ０の上部には、シート反転装置Ｕ３が装着されている。前記シート反転装置Ｕ３の内部には、前記本体シート反転路ＳＨ３に接続するオプションシート反転路ＳＨ４が形成されている。したがって、両面印刷時には、前記定着領域Ｑ２でトナー像が定着されたシートＳが、前記本体シート反転路ＳＨ３、オプションシート反転路ＳＨ４を通過して、前記レジロールＲｒに搬送され、シートＳの表裏が反転した状態で前記転写領域Ｑ１に再送される。
前記本体シート反転路ＳＨ３、オプションシート反転路ＳＨ４により、シート反転路（ＳＨ３＋ＳＨ４）が構成されている。
【００３２】
（手差しトレイ）
図２は実施例１の手差しトレイの手差し給紙装置部分の要部拡大説明図であり、取出ロールが給紙待機位置に保持された状態の説明図である。
図３は実施例１の手差しトレイの手差し給紙装置部分を下方から見た要部拡大斜視図である。
図４は実施例１の手差しトレイの手差し給紙装置部分を斜め上方からみた要部斜視説明図である。
図５はさばきロールやガイド部材を省略した手差し給紙装置部分の斜視説明図である。
図６は図５の矢印ＶＩ方向から見た図である。
【００３３】
図２、図３において、本発明の実施例１のシート搬送装置を有する手差しトレイＴＲ０は、記録シートＳのシート搬送方向前端が下方に傾斜した状態で収容（積載）される給紙トレイ本体１を有している。図２において、給紙トレイ本体１は、記録シートＳの束が積載されるシート支持面１ａと、前記シート支持面１ａの右端部（シート搬送方向前端部）に連続し且つ上方に傾斜して形成されたシート上方ガイド面１ｂとを有する。図２、図５において、給紙トレイ本体１の右端部の前記シート支持面１ａからシート上方ガイド面１ｂにかけて、位置決め部収容口１ｃが形成されている。
【００３４】
図４において、前記給紙トレイ本体１の後端には後端壁２が形成されている。前記後端壁２には、バネ装着孔２ａが形成されている。
図２、図３において、前記給紙トレイ本体１の右端部の上方には、手差し給紙装置６が配置されている。前記手差し給紙装置６は、平板状の固定プレート７を有している。図２、図３において、固定プレート７は、下方に突出して形成された付勢バネ支持部７ａと、ねじりバネ支持部７ｂ（図３参照）とを有する。前記固定プレート７の下面には、取出ロール昇降用リンク８と、ロック解除用リンク９とが回転可能に支持されている。
【００３５】
図４〜図６において、前記取出ロール昇降用リンク８は、円筒状の回転中心８ａと、前記回転中心８ａの左方に形成されたソレノイド連結部８ｂと、回転中心８ａの右方に形成された待機位置保持用バネ装着部８ｃと、待機位置保持用バネ装着部８ｃの前方に形成されたケース押圧部８ｄとを有している。ソレノイド連結部８ｂは、取出ロール昇降用ソレノイド１０の伸縮ロッド１０ａの前端に回転可能に連結されている。前記待機位置保持用バネ装着部８ｂと後端壁２のバネ装着孔２ａとの間には、待機位置保持用バネ１１が連結されている。したがって、前記取出ロール昇降用リンク８は、前記待機位置保持用バネ１１により、回転中心８ａを中心としてケース押圧部８ｄが右方（＋Ｙ方向）に移動する方向（図６において反時計方向）に付勢されている。
【００３６】
前記ロック解除用リンク９は、円筒状の回転中心９ａと、前記回転中心９ａから取出ロール昇降用リンク８側に延びるリンク側アーム９ｂと、リンク側アーム９ｂと反対側に延びるロック解除アーム９ｃとを有している。前記リンク側アーム９ｂの先端部には円筒状の昇降用リンク係合部９ｄが形成されている。前記ロック解除アーム９ｃの先端には円筒状のストッパ係合部９ｅが形成されており、ストッパ係合部９ｅの後端面には、後述するストッパと係合するために上下方向中央部が凸湾曲した凸湾曲部９ｆが形成されている。
【００３７】
図３、図４において、前記回転中心９ａにはねじりバネ１６の中心部が巻付けられている（図３、図４以外は図示省略）。前記ねじりバネ１６の一端部は、前記ねじりバネ支持部７ｂに係止され、他端部は昇降用リンク係合部９ｄに係合している。したがって、前記ロック解除用リンク９は、前記ねじりバネ１６により、回転中心９ａを中心として昇降用リンク係合部９ｄが右方に移動する方向（図６において時計方向）に付勢されている。この結果、前記昇降用リンク係合部９ｄは、常時、取出ロール昇降用リンク８のケース押圧部８ｄの左端面に当接する。
前記取出ロール昇降用リンク８、ロック解除用リンク９、待機位置保持用バネ１１及びねじりバネ１６等によりリンク機構１７が構成されている。また、前記取出ロール昇降用ソレノイド１０及びリンク機構１７によりストッパ係合解除部材（１０＋１７）が構成されている。
【００３８】
図４において、前記後端壁２には、前方に延びるシャフト２１が回転可能に支持されており、図示しないフィードモータにより回転駆動される。前記シャフト２１には、取出ロール支持ケース２２が回転可能に支持されている。前記取出ロール支持ケース２２の前方には、取出ロール駆動ギアＧ１がワンウェイクラッチ（図示せず）を介してシャフト２１に支持されている。前記ワンウェイクラッチによって、後述する取出ロール（４１）が用紙を搬送する方向に空転可能にギアＧ１とシャフト２１が接続されている。また、取出ロール駆動ギアＧ１の前方にはフィードロール装着部材２３がワンウェイクラッチ（図示せず）を介して支持されており、前記ワンウェイクラッチにより、フィードロール２４がシャフト２１に対し用紙搬送方向に空転可能に接続されている。
前記フィードロール装着部材２３には、２つのローラ部２４ａ、２４ａと前記ローラ部２４ａ、２４ａの間に配置された用紙ガイド部とを有するフィードロール２４が装着されている。前記フィードロール２４の前端部には、位置決め突出部２４ｂが設けられており、シャフト２１の先端に形成されたロール位置決め溝２１ａと係合することにより、フィードロール２４の軸方向が位置決めされている。
【００３９】
図３、図４において、前記取出ロール支持ケース２２の前端面には、搬送される記録シートＳの上面をガイドするガイド部材２２ａが支持されている。図４〜図６において、前記取出ロール支持ケース２２の上面右端後部には、前記取出ロール昇降用リンク８のケース押圧部８ｄが当接するリンク被押圧部３１が形成されている。前記リンク被押圧部３１の前方には、給紙実行位置付勢バネ装着部３２が形成されている。図２、図３において、前記給紙実行位置付勢バネ装着部３２と、固定プレート７の付勢バネ支持部７ａとの間には、給紙実行位置付勢バネ３３が装着されている（図３、図４参照）。前記給紙実行位置付勢バネ３３は、給紙実行位置付勢バネ用装着部３２を左上方（−Ｙ＋Ｚ方向）に付勢している。
前記取出ロール昇降用ソレノイド１０、リンク機構１７及び給紙実行位置付勢バネ用装着部３２等により取出ロール移動装置（１０＋１７＋３２）が構成されている。
【００４０】
図４において、前記取出ロール支持ケース２２の給紙実行位置付勢バネ用装着部３２には、回転伝達ギア列Ｇ２が回転可能に支持されており、前記取出ロール駆動ギアＧ１からの回転が伝達される。前記回転伝達ギア列Ｇ２の前方には、ストッパ３６が回転中心３６ａを中心に回転可能に支持されている。前記ストッパ３６は、上方に延び且つ前記ロック解除用リンク９のストッパ係合部９ｅと係合可能な被係合部３６ｂと、左方（−Ｙ方向）に延びる位置決め部材係止部３６ｃとを有する。前記位置決め部材係止部３６ｃの先端には、係止爪３６ｄが形成されており、位置決め部材係止部３６ｃの上端には位置決め部材係止部３６ｃの下方への回転を規制する回転規制部３６ｅが形成されている。
【００４１】
前記取出ロール支持ケース２２の左端部には、前後方向（Ｘ軸方向）に延びる取出ロール軸３７が回転可能に支持されている。図３、図５において、前記取出ロール軸３７の後端部には、前記回転伝達ギア列Ｇ２から回転が伝達される取出ロールギアＧ３が支持されている。前記取出ロールギアＧ３の前方の取出ロール軸３７にはシート前端位置決め部材３８が回転可能に支持されている。前記取出ロール軸３７の前端部には、取出ロール装着部材３９が支持されており、取出ロール装着部材３９にはフィードロール２４と同様に構成された取出ロール４１が装着される。
【００４２】
図２、図３、図５において、前記シート前端位置決め部材３８は円筒部３８ａと、前記円筒部３８ａの外周面から突出して形成されたストッパ被係合部３８ｂと、前記ストッパ被係合部３８ｂとは反対側の外周面に形成されたシート前端当接部３８ｃとを有する。前記ストッパ被係合部３８ｂは、前記係止爪３６ｄに係合可能に構成されている。給紙を実行しない待機時には、図２に示すように、前記シート前端当接部３８ｃの先端部分は前記位置決め部収容口１ｃを貫通して下方に位置する。シート前端当接部３８ｃに記録シートＳの束の前端が突き当てられると、ストッパ被係合部３８ｂが係止爪３６ｄに係止され、シート前端位置決め部材３８が所定の位置から回転移動できないようにロック（係止）される（図２参照）。この結果、記録シートＳの前端は所定の位置に位置決めされる。
【００４３】
図３、図４において、前記フィードロール２４の下方には、所定の押圧力でフィードロール２４に圧接するリタードロール４２が配置されている。前記リタードロール４２は、フィードロール２４や取出ロール４１と同様に構成されており、リタードロール軸４３にトルクリミッタＴＬを介して支持されたリタードロール装着部材４４に装着されている。また、前記リタードロール軸４３には、図示しない伝達ギアを介してフィードロール２４とは逆方向（記録シートを上流側に戻す方向）の回転が前記フィードモータより伝達される。図１において、前記フィードロール２４のシート搬送方向下流側近傍には、記録シートＳの有無を検出するフィードセンサＳＮ１が配置されている。また、フィードロール２４の下流に配置されたシート搬送ロール（テイクアウェイロール）Ｒａの下流側近傍には、記録シートＳの有無を検出するフィードアウトセンサＳＮ２が配置されている。
前記フィードロール２４及びリタードロール４２等によりさばき部材としてのさばきロール（２４＋４２）が構成されている。前記取出ロール４１、さばきロール（２４＋４２）、取出ロール移動装置（１０＋１７＋３２）等により手差し給紙装置（シート搬送装置）６が構成されている。
【００４４】
したがって、図２において、実施例１の手差し給紙装置６は、ジョブ（画像形成動作）を実行しない通常時は、取出ロール昇降用ソレノイド１０がオフになり、給紙待機位置（図２に示す位置）に保持される。即ち、待機位置保持用バネ１１により、給紙実行位置付勢バネ３３の付勢力に抗して、ケース押圧部８ｄがリンク被押圧部３１を押圧して、取出ロール支持ケース２２に支持された取出ロール４１を上方の給紙待機位置に保持する。
【００４５】
図７は取出ロールが給紙実行位置に移動した状態の説明図である。
図２において、記録シートＳの束がシート前端当接部３８ｃに突き当てられて位置決めされた状態で、ジョブが開始され、給紙タイミングになると、取出ロール昇降用ソレノイド１０がオンになる。図６において、取出ロール昇降用ソレノイド１０がオンになると、伸縮ロッド１０ａがソレノイド内部に引き込まれる。伸縮ロッド１０ａの作動に伴って、取出ロール昇降用リンク８は、待機位置保持用バネ１１の力に抗して回転中心８ａを中心に回転する。この結果、ケース押圧部８ｄがリンク被押圧部３１から離れる方向に移動し、給紙実行位置付勢バネ３３の付勢力により取出ロール支持ケース２２がシャフト２１を中心に回転して、取出ロール４１が給紙実行位置（図７に示す位置）に移動する。給紙実行位置に移動した取出ロール４１は、給紙実行位置付勢バネ３３により所定の押圧力で記録シートＳの束を押圧する。
【００４６】
図８は取出ロールが給紙実行位置に移動した状態でシート前端位置決め部材のロックが解除された状態の説明図である。
図６において、伸縮ロッド１０ａの作動に伴って取出ロール昇降用リンク８が回転し、ケース押圧部８ｄがリンク被押圧部３１から離れる方向に移動すると、ロック解除用リンク９が回転中心９ａを中心に回転してストッパ係合部９ｅが被係合部３６ｂに近づく。前記取出ロール４１が給紙実行位置に移動した状態では、図７に示すようにストッパ係合部９ｅが被係合部３６ｂに近接する。その後、伸縮ロッド１０ａが完全に引き込まれると、ロック解除用リンク９の回転によりストッパ係合部９ｅが被係合部３６ｂを右方に押圧し、ストッパ３６が回転中心３６ａを中心に回転する。この結果、図８に示すように、ストッパ被係合部３８ｂと係止爪３６ｄとの係合（ロック）が解除され、シート位置決め部材３８は回転移動可能な状態になる。
【００４７】
図９は取り出しロールで記録シートの給紙を行っている状態の説明図である。
図９において、シート位置決め部材３８のロックが解除された状態で、取出ロール４１が回転駆動すると、記録シートＳがさばきロール（２４＋４２）に搬送される。このとき、シート位置決め部材３８は回転自由な状態なので、記録シートＳの前端の移動に伴って回転でき、記録シートＳの給紙の妨げとならない。さばきロール（２４＋４２）に搬送された記録シートＳが１枚の場合、リタードロール４２はトルクリミッタによりフィードロール２４の回転に従動して、記録シートＳを下流側に搬送する。一方、さばきロール（２４＋４２）に搬送された記録シートＳが複数枚の場合、フィードロール２４が当接する最上面の記録シートＳは下流側に搬送され、下側の記録シートＳはリタードロール４２により上流側に戻される。この結果、リタードロール４２とフィードロール２４との間の圧接領域（さばき領域）で記録シートＳが１枚ずつ分離されて下流側に搬送される。
【００４８】
（実施例１の制御部の説明）
図１０は実施例１の画像形成装置の制御部分が備えている各機能をブロック図（機能ブロック図）で示した図である。
図１０において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００４９】
（前記コントローラＣに接続された信号入力要素）
前記コントローラＣは、ＵＩ（ユーザインタフェース）、フィードセンサＳＮ１、フィードアウトセンサＳＮ２等の信号入力要素からの信号が入力されている。
前記ＵＩは、表示部ＵＩ１や、コピースタートキーＵＩ２、テンキーＵＩ３、手差しトレイＴＲ０に収容された記録シートＳの情報をユーザが入力するためのシート情報入力キー（シート情報入力部材）ＵＩ４等の入力キーを備えており、それらが入力されたことを検出して、その検出信号をコントローラＣに入力する。
【００５０】
前記フィードセンサＳＮ１は、フィードロール２４の近傍の記録シートＳの有無を検出し、その検出信号をコントローラＣに入力する。
前記フィードアウトセンサＳＮ２は、シート搬送ロール（テイクアウェイロール）Ｒａの近傍の記録シートＳの有無を検出し、その検出信号をコントローラＣに入力する。
【００５１】
（前記コントローラＣに接続された制御要素）
前記コントローラＣは、メインモータ駆動回路Ｄ０、フィードモータ駆動回路Ｄ１、取出ロール昇降用ソレノイド駆動回路Ｄ２、電源回路Ｅ、その他の制御要素に接続されており、それらの作動制御信号を出力している。
前記電源回路Ｅは現像用電源回路Ｅ１や帯電用電源回路Ｅ２、転写用電源回路Ｅ３、定着用電源回路Ｅ４等を有する。
【００５２】
前記現像用電源回路Ｅ１は、前記現像装置Ｇの現像ロールＧａに現像バイアスを印加する。
前記帯電用電源回路Ｅ２は、前記帯電ロールＣＲに帯電バイアスを印加する。
前記転写用電源回路Ｅ３は、前記転写ロールＲｔに転写バイアスを印加する。
前記定着用電源回路Ｅ４は、定着装置Ｆの加熱ロールＦｈのヒータにヒータ加熱用の電流を供給する。
【００５３】
前記メインモータ駆動回路Ｄ０はメインモータＭ１を介して像担持体ＰＲ、現像装置Ｇの現像ロールＧａ、定着装置Ｆ、シート搬送ロールＲａ等を回転駆動する。
前記フィードモータ駆動回路Ｄ１は、フィードモータＭ２の駆動を制御して、取出ロール４１、さばきロール（２４＋４２）を回転駆動する。
前記取出ロール昇降用ソレノイド駆動回路Ｄ２は、取出ロール昇降用ソレノイド１０を作動（オン・オフ）させて取出ロール４１を給紙実行位置と給紙待機位置との間で移動させる。
【００５４】
（前記コントローラＣの機能）
前記コントローラＣは、前記各信号出力要素からの出力信号に応じた処理を実行して、前記各制御要素に制御信号を出力する機能（制御手段）を有している。前記コントローラＣの機能（制御手段）を次に説明する。
Ｃ１：ジョブ制御手段
ジョブ制御手段Ｃ１は、コピースタートキーＵＩ２の入力に応じて、前記ＲＯＳ、像担持体ＰＲ、転写ロールＲｔ、定着装置Ｆ等の動作を制御して、画像記録動作であるジョブ（印刷動作、コピー動作）を実行する。
【００５５】
Ｃ２：メインモータ回転制御手段
メインモータ回転制御手段Ｃ２は、前記メインモータ駆動回路Ｄ０を制御して、像担持体ＰＲや現像装置Ｇ、定着装置Ｆ等の駆動を制御する。
Ｃ３：電源回路制御手段
電源回路制御手段Ｃ３は、現像用電源制御手段Ｃ３Ａ、帯電用電源制御手段Ｃ３Ｂ、転写用電源制御手段Ｃ３Ｃ、定着用電源制御手段Ｃ３Ｄを有し、電源回路Ｅを制御して画像形成装置Ｕの各部材への電源供給の制御を行う。
【００５６】
Ｃ３Ａ：現像用電源制御手段
現像用電源制御手段Ｃ３Ａは、現像用電源回路Ｅ１を制御して現像バイアスを制御する。
Ｃ３Ｂ：帯電用電源制御手段
帯電用電源制御手段Ｃ３Ｂは、帯電用電源回路Ｅ２を制御して帯電バイアスを制御する。
Ｃ３Ｃ：転写用電源制御手段
転写用電源制御手段Ｃ３Ｃは、転写用電源回路Ｅ３を制御して転写バイアスを制御する。
Ｃ３Ｄ：定着用電源制御手段
定着用電源制御手段Ｃ３Ｄは、定着用電源回路Ｅ４を制御して定着装置Ｆの定着温度を制御する。
【００５７】
Ｃ４：シート情報記憶手段
シート情報記憶手段Ｃ４は、前記シート情報入力キーＵＩ４により入力された記録シートＳのシート情報を記憶する。実施例１のシート情報記憶手段Ｃ４は、前記シート情報として、記録シートＳの種類（普通紙、ＯＨＰ、コート紙、裏紙（片面印刷済の記録シート）等）、シートサイズ（Ａ４，Ｂ５，ハガキ等）及び用紙坪量（６４ｇ／ｍ2等）を記憶する。
Ｃ５：タイミング変更判別手段
タイミング変更判別手段Ｃ５は、タイミング変更シート種類記憶手段Ｃ５Ａと、タイミング変更シートサイズ記憶手段Ｃ５Ｂと、タイミング変更シート坪量記憶手段Ｃ５Ｃとを有し、使用する記録シートＳのシート情報に基づいて、記録シートＳがタイミング変更シートであるか否かを判別する。実施例１のタイミング変更判別手段Ｃ５は、前記シート情報記憶手段Ｃ４に記憶されたシート情報が、タイミング変更シート種類記憶手段Ｃ５Ａ、タイミング変更シートサイズ記憶手段Ｃ５Ｂ及びタイミング変更シート坪量記憶手段Ｃ５Ｃに記憶されたタイミング変更シート種類等に一致するか否かにより判別を行う。
【００５８】
Ｃ５Ａ：タイミング変更シート種類記憶手段
タイミング変更シート種類記憶手段Ｃ５Ａは、ロール移動タイミングを変更するタイミング変更シート種類を記憶する。実施例１のタイミング変更シート種類記憶手段Ｃ５Ａは、タイミング変更シート種類として、ＯＨＰ、裏紙、コート紙等の密着していない場合にシート間の摩擦係数が小さい記録シートを記憶している。
Ｃ５Ｂ：タイミング変更シートサイズ記憶手段
タイミング変更シートサイズ記憶手段Ｃ５Ｂは、ロール移動タイミングを変更するタイミング変更シートサイズを記憶する。実施例１のタイミング変更シートサイズ記憶手段Ｃ５Ｂは、タイミング変更シートサイズとして、搬送方向のシート長さが短いハガキサイズを記憶している。
【００５９】
Ｃ５Ｃ：タイミング変更シート坪量記憶手段
タイミング変更シート坪量記憶手段Ｃ５Ｃは、ロール移動タイミングを変更するタイミング変更シート坪量を記憶する。実施例１のタイミング変更シート坪量記憶手段Ｃ５Ｃは、タイミング変更シート坪量として、６４ｇ／ｍ2未満（即ち、比較的軽量の記録シート）を記憶している。
Ｃ６：給紙装置駆動制御手段
給紙装置駆動制御手段Ｃ６は、手差し給紙装置６の取出ロール４１、フィードロール２４及びリタードロール４２の回転駆動を制御する。
Ｃ７：取出ロール昇降制御手段（取出ロール移動制御手段）
取出ロール昇降制御手段Ｃ７は、通常時ロール移動タイミング記憶手段Ｃ７Ａと、ロール移動タイミング変更手段Ｃ７Ｂとを有し、設定されたロール移動タイミングに応じて、取出ロール昇降用ソレノイド駆動回路Ｄ３を制御して、取出ロール４１を給紙実行位置と給紙待機位置との間で移動（昇降）させる。
【００６０】
Ｃ７Ａ：通常時ロール移動タイミング記憶手段
通常時ロール移動タイミング記憶手段Ｃ７Ａは、使用する記録シートＳがタイミング変更シートでない場合、即ち、取出ロール４１を移動させるロール移動タイミングを変更しない場合（ロール移動タイミング固定モード）の通常時ロール移動タイミングを記憶する。実施例１の通常時ロール移動タイミング記憶手段Ｃ７Ａは、フィードセンサＳＮ１が記録シート有りを検出した時（タイミング）、即ち、取出ロール４１で搬送した記録シートＳの前端がフィードセンサＳＮ１で検出された時を通常時ロール移動タイミングとして記憶する。
【００６１】
Ｃ７Ｂ：ロール移動タイミング変更手段
ロール移動タイミング変更手段Ｃ７Ｂは、使用する記録シートのシート情報に応じて、前記取出ロール４１を前記給紙実行位置から前記給紙待機位置に移動させるロール移動タイミングを変更する。実施例１のロール移動タイミング変更手段Ｃ７Ｂは、使用する記録シートＳがタイミング変更シートである場合に、ロール移動タイミングを、フィードセンサＳＮ１が記録シート有りを検出した時（タイミング）から、前記記録シートＳの後端がフィードセンサＳＮ１の位置を通過してシート無しを検出した時（タイミング）に変更する。したがって、実施例１のロール移動タイミング変更手段Ｃ７Ｂは、使用する記録シートＳがタイミング変更シートである場合、前記ロール移動タイミングを、前記タイミング変更シート以外の場合（通常の場合）のロール移動タイミングに比べて遅くする。
【００６２】
（実施例１のフローチャートの説明）
（給紙処理のメインフローチャートの説明）
図１１は実施例１の画像形成装置の給紙処理のメインフローチャートである。
図１１のフローチャートの各ＳＴ（ステップ）の処理は、前記コントローラＣのＲＯＭやハードディスク等に記憶されたプログラムに従って行われる。また、この処理は画像形成装置Ｕの他の各種処理と並行してマルチタスクで実行される。
図１１に示すフローチャートは画像形成装置Ｕの電源オンにより開始される。
【００６３】
図１１のＳＴ１において、ジョブが開始されたか否かを判別する。イエス（Ｙ）の場合はＳＴ２に移り、ノー（Ｎ）の場合はＳＴ１を繰り返す。
ＳＴ２において、使用する記録シートＳのシート種類がタイミング変更シート種類で有るか否かを判別する。ノー（Ｎ）の場合はＳＴ３に移り、イエス（Ｙ）の場合はＳＴ６に移る。
ＳＴ３において、使用する記録シートＳのシートサイズがタイミング変更シートサイズ以下で有るか否かを判別する。ノー（Ｎ）の場合はＳＴ４に移り、イエス（Ｙ）の場合はＳＴ６に移る。
【００６４】
ＳＴ４において、使用する記録シートの坪量がタイミング変更シート坪量以下で有るか否かを判別する。ノー（Ｎ）の場合はＳＴ５に移り、イエス（Ｙ）の場合はＳＴ６に移る。
ＳＴ５において、ロール移動タイミングを変更しない通常の給紙処理（ロール移動タイミング固定モード、後述する図１２のサブルーチン参照）を実行してＳＴ１に戻る。
ＳＴ６において、ロール移動タイミングを変更する取出ロール移動タイミング変更給紙処理（ロール移動タイミング変更モード、後述する図１３のサブルーチン参照）を実行してＳＴ１に戻る。
【００６５】
（通常給紙処理（ロール移動タイミング固定モード）の説明）
図１２は実施例１の通常給紙処理のフローチャートであり、図１１のＳＴ５のサブルーチンのフローチャートである。
図１２のＳＴ１１において、取出ロール４１を給紙実行位置に移動させて、給紙を実行する給紙開始タイミングになったか否かを判別する。ノー（Ｎ）の場合はＳＴ１１を繰り返し、イエス（Ｙ）の場合はＳＴ１２に移る。
ＳＴ１２において、次の処理（１）、（２）を実行してＳＴ１３に移る。
（１）取出ロール昇降用ソレノイド１０をオンにして、取出ロール４１を給紙実行位置に移動（下降）させる。
（２）取出ロール４１及びさばきロール（フィードロール２４及びリタードロール４２）を回転駆動させる。
【００６６】
ＳＴ１３において、フィードセンサＳＮ１がオンになったか否か（シート有りを検出したか否か）、即ち、記録シートＳの前端がさばきロール（２４＋４２）まで搬送されたか否かを判別する。ノー（Ｎ）の場合はＳＴ１３を繰り返し、イエス（Ｙ）の場合はＳＴ１４に移る。
ＳＴ１４において、取出ロール昇降用ソレノイド１０をオフにして取出ロール４１を給紙待機位置に移動（上昇）させる。そして、ＳＴ１５に移る。
【００６７】
ＳＴ１５において、フィードアウトセンサＳＮ２がオンになったか否か（シート有りを検出したか否か）、即ち、記録シートＳの前端がテイクアウェイロールＲａまで搬送されたか否かを判別する。ノー（Ｎ）の場合はＳＴ１５を繰り返し、イエス（Ｙ）の場合はＳＴ１６に移る。
ＳＴ１６において、さばきロール（２４＋４２）および取り出しロール４１の駆動を停止する。そして、ＳＴ１７に移る。
ＳＴ１７において、ジョブが終了したか否かを判別する。ノー（Ｎ）の場合はＳＴ１１に戻り、イエス（Ｙ）の場合は図１２のサブルーチンを終了して、図１１のメインルーチンに戻る。
【００６８】
（取出ロール移動タイミング変更給紙処理（ロール移動タイミング変更モード）の説明）
図１３は実施例１の取出ロール移動タイミング変更給紙処理のフローチャートであり、図１１のＳＴ６のサブルーチンのフローチャートである。
次に、実施例１の取出ロール移動タイミング変更給紙処理のフローチャートの説明を行うが、前記通常給紙処理のフローチャートと同様の処理には同一のＳＴ番号を付し、詳細な説明は省略する。
【００６９】
図１３において、通常給紙処理のＳＴ１１〜ＳＴ１２と同様の処理を実行して、ＳＴ１５に移る。
次に、通常給紙処理のＳＴ１５、ＳＴ１６と同様の処理を実行して、ＳＴ２１に移る。
ＳＴ２１において、フィードセンサＳＮ１がオフになったか否か（シート無しを検出したか否か）、即ち、記録シートＳの後端がフィードロール２４を通過したか否かを判別する。ノー（Ｎ）の場合はＳＴ２１を繰り返し、イエス（Ｙ）の場合はＳＴ２２に移る。
ＳＴ２２において、取出ロール昇降用ソレノイド１０をオフにして取出ロール４１を給紙待機位置に移動（上昇）させる。そして、ＳＴ１７に移り、ＳＴ１７の処理を実行する。
【００７０】
（実施例１の作用）
前記構成を備えた実施例１のシート搬送装置としての手差し給紙装置６では、使用される記録シートＳがタイミング変更シートである場合には、取出ロール４１を給紙待機位置に移動させるロール移動タイミングが変更される。実施例１の手差し給紙装置６では、使用される記録シートＳがタイミング変更シートである場合、即ち、シート間の摩擦係数が小さい場合や、ハガキサイズのようなサイズが小さい場合、記録シートの坪量が軽い場合に、ロール移動タイミングが変更される。
【００７１】
複数枚の記録シートＳがさばきロール（２４＋４２）に搬送された場合に、下側の記録シートＳはリタードロール４２により捌かれて上流側に戻される。しかし、使用される記録シートＳがタイミング変更シートである場合、摩擦係数が低かったり、小サイズまたは坪量が軽く記録シートＳが軽量であったりするため、記録シートＳが動きやすく、下流側に搬送される最上面の記録シートＳに引きずられて、さばきロール（２４＋４２）に再突入する可能性がある。しかし、実施例１の手差し給紙装置６では、タイミング変更シートが使用される場合、駆動が停止した取出ロール４１が給紙実行位置に保持されて記録シート束を押さえるので、捌かれた下側の記録シートＳがさばきロール（２４＋４２）に再突入することを防止できる。したがって、繰り返し突入する際に発生する捌き異音（騒音）等を防止できる。
【００７２】
この結果、実施例１の手差し給紙装置６は、記録シートＳを押さえる特別の部材（押さえコロ等）を使用せず、簡素な構成で捌かれた記録シートがさばき領域（フィードロール２４とリタードロール４２とが圧接する領域）に再突入することを防止できる。また、実施例１の手差し給紙装置６では、記録シートＳの後端がさばきロール（２４＋４２）を通過すると、取出ロール４１が給紙待機位置に移動（上昇）するので、ユーザが手差しトレイＴＲ０に記録シートを追加する際に、取出ロール４１が邪魔になることを防止できる。
【００７３】
さらに、実施例１の手差し給紙装置６では、さばき領域に再突入する可能性が高いタイミング変更シート以外の記録シートＳを使用する場合には、記録シートＳの前端がさばきロール（２４＋４２）に搬送されると取出ロール４１が給紙待機位置に移動（上昇）し、フィードロール２４で搬送するので、取出ロール４１が搬送抵抗となることを防止できる。この結果、給紙中に常時取出ロールを給紙実行位置に保持する場合に比べ、搬送抵抗を低減でき、取出ロール４１の磨耗等を低減して耐久性を向上でき、取出ロール昇降用ソレノイド１０の消費エネルギー等も抑えることができる。
また、タイミング変更シートを使用すると取出ロール４１を上昇させるタイミングが遅くなるので、給紙間隔をあまり狭くできないが、タイミング変更シート以外の記録シートＳを使用する場合には、記録シートＳの前端がさばきロール（２４＋４２）に搬送されると取出ロール４１を給紙待機位置に上昇させているので、全ての記録シートＳで取出ロール４１を給紙実行位置に保持する場合に比べ、給紙間隔を小さくでき、生産性を高めることができる。
【実施例２】
【００７４】
次に、本発明の実施例２を説明するが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００７５】
（実施例２の制御部の説明）
図１４は実施例２の画像形成装置の制御部分が備えている各機能をブロック図（機能ブロック図）で示した図であり、実施例１の図１０に対応する図である。
（実施例２のコントローラＣの機能）
実施例２のコントローラＣは、前記実施例１の取出ロール昇降制御手段Ｃ７に替えて、取出ロール昇降制御手段Ｃ７′を有している。
Ｃ７′：取出ロール昇降制御手段
実施例２の取出ロール昇降制御手段Ｃ７′は、前記通常時ロール移動タイミング記憶手段Ｃ７Ａ、ロール移動タイミング変更手段Ｃ７Ｂに加え、ロール接触時間設定手段Ｃ７Ｃと、接触時間計時タイマＴＭ１とを有している。
【００７６】
Ｃ７Ｃ：ロール接触時間設定手段
ロール接触時間設定手段Ｃ７Ｃは、タイミング変更シートを使用する場合に、取出ロール４１を給紙実行位置に保持して記録シートＳに接触させる時間（ロール接触時間）を記録シートのサイズ毎に記憶するロール接触時間記憶手段Ｃ７Ｃ１を有している。前記ロール接触時間設定手段Ｃ７Ｃは、前記ロール接触時間記憶手段Ｃ７Ｃ１に記憶されたロール接触時間に基づいて、使用する記録シートＳのサイズに対応するロール接触時間ｔ１を設定する。なお、実施例２のロール接触時間記憶手段Ｃ７Ｃ１は、記録シートＳのシート前端がさばきロール（２４＋４２）に搬送されてから、後端がさばきロール（２４＋４２）を通過する直前の時間をロール接触時間として記憶している。
ＴＭ１：接触時間計時タイマ
接触時間計時タイマＴＭ１は、前記ロール接触時間設定手段Ｃ７Ｃで設定されたロール接触時間ｔ１が経過したか否かを計時する。
【００７７】
（実施例２のフローチャートの説明）
（取出ロール移動タイミング変更給紙処理のサブルーチンのフローチャートの説明）
図１５は実施例２の取出ロール移動タイミング給紙処理のサブルーチンのフローチャートであり、実施例１の図１３に対応する図である。
次に、実施例２のフローチャートの説明を行うが、実施例１のフローチャートと同様の処理には同一のＳＴ番号を付し、詳細な説明は省略する。
【００７８】
図１５において、実施例１の通常給紙処理のＳＴ１１〜ＳＴ１２と同様の処理を実行してＳＴ３１に移る。
ＳＴ３１において、次の処理（１）〜（２）を実行して、ＳＴ１５に移る。
（１）使用するシートサイズに応じたロール接触時間ｔ１を設定する。
（２）設定されたロール接触時間ｔ１を接触時間計時タイマＴＭ１にセットする。
次に、通常給紙処理のＳＴ１５、ＳＴ１６と同様の処理を実行して、ＳＴ３２に移る。
ＳＴ３２において、接触時間計時タイマＴＭ１がタイムアップしたか否か、即ち、記録シートＳの後端がフィードロール２４を通過したか否かを判別する。ノー（Ｎ）の場合はＳＴ３２を繰り返し、イエス（Ｙ）の場合はＳＴ２２に移る。
次に、ＳＴ２２、ＳＴ１７を実行する。
【００７９】
（実施例２の作用）
前記構成を備えた実施例２のシート搬送装置としての手差し給紙装置６では、フィードセンサＳＮ１のシート有無の検出結果ではなく、ロール接触時間ｔ１により、取出ロール４１を給紙待機位置に移動（上昇）させている。実施例２の手差し給紙装置６では、ロール接触時間ｔ１として、記録シートＳの後端がさばきロール（２４＋４２）を通過する直前までの時間が設定されているので、実施例１の場合に比べ、取出ロール４１が給紙待機位置に移動するタイミングが早い。よって、実施例１の手差し給紙装置６に比べ、給紙間隔を短くすることができる。その他、実施例２の手差し給紙装置６は、実施例１の手差し給紙装置６と同様の作用、効果を奏する。
【実施例３】
【００８０】
次に、本発明の実施例３を説明するが、この実施例３の説明において、前記実施例１の構成要素に対応する構成要素には同一の符号を付して、その詳細な説明を省略する。この実施例３は、下記の点で前記実施例１と相違しているが、他の点では前記実施例１と同様に構成されている。
【００８１】
（実施例３の制御部の説明）
図１６は実施例３の画像形成装置の制御部分が備えている各機能をブロック図（機能ブロック図）で示した図であり、実施例１の図１０に対応する図である。
（実施例３のコントローラＣに接続された信号入力要素）
図１６において、実施例３のユーザインタフェースＵＩは、異音防止モード選択キーＵＩ５を有している。
【００８２】
（実施例３のコントローラＣの機能）
実施例３のコントローラＣは、実施例１のコントローラＣのタイミング変更判別手段Ｃ５に替えて、タイミング変更シート坪量記憶手段Ｃ５Ｃが省略されたタイミング変更判別手段Ｃ５′を有している。即ち、実施例３のタイミング変更判別手段Ｃ５′は、シート情報としてのシート種類及びシートサイズに基づいて、使用する記録シートＳがタイミング変更シートで有るか否かの判別を行う。
また、実施例３のコントローラＣは、実施例１のコントローラＣの各機能（制御手段）に加え、次の機能を有している。
【００８３】
Ｃ１１：モード切替手段
モード切替手段Ｃ１１は、給紙時異音防止モード選択画像表示手段Ｃ１１Ａと、モード判別フラグＦＬ１とを有し、ユーザの入力に応じて、前記ロール移動タイミングを変更するロール移動タイミング変更モードと、シート情報に関わらず前記ロール移動タイミングを変更しないロール移動タイミング固定モードとを切り替える。
【００８４】
図１７は実施例３の異音防止モード選択画像の説明図である。
Ｃ１１Ａ：給紙時異音防止モード選択画像表示手段
給紙時異音防止モード選択画像表示手段Ｃ１１Ａは、前記異音防止モード設定キーＵＩ５の入力に応じて、表示器ＵＩ１に異音防止モード選択画像（図１７参照）１０１を表示する。図１７において、実施例３の異音防止モード選択画像１０１は、ロール移動タイミングを変更して異音の発生を防止する取出ロール移動タイミング変更給紙処理を実行しない固定モード（ロール移動タイミング固定モード）を選択するための固定モード選択アイコン１０２と、シートサイズに応じて取出ロール移動タイミング変更給紙処理を実行するサイズ連動モードを選択するためのサイズ連動モード選択アイコン１０３と、シート種類に応じて取出ロール移動タイミング変更給紙処理を実行する種類連動モードを選択するための種類連動モード選択アイコン１０４と、シート種類及びシートサイズに応じて取出ロール移動タイミング変更給紙処理を実行するサイズ・種類連動モードを選択するためのサイズ・種類連動モード選択アイコン１０６とを有する。
【００８５】
ＦＬ１：モード判別フラグ
モード判別フラグＦＬ１は、初期値が「００」であり、前記異音防止モード選択画像１０１において、固定モードが選択されると「００」となり、サイズ連動モードが選択されると「０１」となり、種類連動モードが選択されると「１０」となり、サイズ・種類連動モードが選択されると「１１」となる。
【００８６】
（実施例３のフローチャートの説明）
次に、実施例３のフローチャートの説明を行うが、実施例１のフローチャートと同様の処理には同一のＳＴ番号を付し、詳細な説明は省略する。
（異音防止モード選択処理）
図１８は実施例３の異音防止モード選択処理のフローチャートである。
図１８の処理は画像形成装置Ｕの他の各種処理と並行して実行される。
図１８に示すフローチャートは、画像形成装置Ｕの電源オンにより開始される。
図１８のＳＴ４１において、ユーザインタフェースＵＩの表示器ＵＩ１に、コピー枚数等を入力可能な初期画像を表示する。そして、ＳＴ４２に移る。
ＳＴ４２において、異音防止モード選択キーＵＩ５の入力があったか否かを判別する。ノー（Ｎ）の場合はＳＴ４３に移り、イエス（Ｙ）の場合はＳＴ４５に移る。
【００８７】
ＳＴ４３において、その他の入力（コピースタートキーＵＩ２やテンキーＵＩ３、シート情報入力キーＵＩ４の入力）があったか否かを判別する。イエス（Ｙ）の場合はＳＴ４４に移り、ノー（Ｎ）の場合はＳＴ４２に戻る。
ＳＴ４４において、入力に応じて、表示器ＵＩ１の表示画像を更新する。
ＳＴ４５において、異音防止モード選択画像１０１（図１７参照）を表示器ＵＩ１に表示する。そして、ＳＴ４６に移る。
【００８８】
ＳＴ４６において、固定モード選択アイコン１０２を選択する入力があったか否かを判別する。イエス（Ｙ）の場合はＳＴ４７に移り、ノー（Ｎ）の場合はＳＴ４８に移る。
ＳＴ４７において、モード判別フラグＦＬ１を「００」にする。そして、ＳＴ４１に戻る。
ＳＴ４８において、サイズ連動モード選択アイコン１０３を選択する入力があったか否かを判別する。イエス（Ｙ）の場合はＳＴ４９に移り、ノー（Ｎ）の場合はＳＴ５０に移る。
ＳＴ４９において、モード判別フラグＦＬ１を「０１」にする。そして、ＳＴ４１に戻る。
【００８９】
ＳＴ５０において、種類連動モード選択アイコン１０４を選択する入力があったか否かを判別する。イエス（Ｙ）の場合はＳＴ５１に移り、ノー（Ｎ）の場合はＳＴ５２に移る。
ＳＴ５１において、モード判別フラグＦＬ１を「１０」にする。そして、ＳＴ４１に戻る。
ＳＴ５２において、サイズ・種類連動モード選択アイコン１０６を選択する入力があったか否かを判別する。イエス（Ｙ）の場合はＳＴ５３に移り、ノー（Ｎ）の場合はＳＴ４６に戻る。
ＳＴ５３において、モード判別フラグＦＬ１を「１１」にする。そして、ＳＴ４１に戻る。
【００９０】
（給紙処理のメインフローチャートの説明）
図１９は実施例３の給紙処理のメインフローチャートであり、実施例１の図１１に対応する図である。
図１９の処理は画像形成装置Ｕの電源オンにより開始される。
図１９のＳＴ６１において、ジョブが開始されたか否かを判別する。ノー（Ｎ）の場合はＳＴ６１を繰り返し、イエス（Ｙ）の場合はＳＴ６２に移る。
ＳＴ６２において、モード判別フラグＦＬ１が「１１」で有るか否かを判別する。イエス（Ｙ）の場合はＳＴ６３に移り、ノー（Ｎ）の場合はＳＴ６７に移る。
【００９１】
ＳＴ６３において、使用する記録シートＳのシート種類がタイミング変更シート種類で有るか否かを判別する。ノー（Ｎ）の場合はＳＴ６４に移り、イエス（Ｙ）の場合はＳＴ６６に移る。
ＳＴ６４において、使用する記録シートＳのシートサイズがタイミング変更シートサイズ以下で有るか否かを判別する。ノー（Ｎ）の場合はＳＴ６５に移り、イエス（Ｙ）の場合はＳＴ６６に移る。
ＳＴ６５において、実施例１のＳＴ５と同様の通常給紙処理（図１２のサブルーチン参照）を実行してＳＴ６１に戻る。
ＳＴ６６において、実施例１のＳＴ６と同様の取出ロール移動タイミング変更給紙処理（図１３のサブルーチン参照）を実行してＳＴ６１に戻る。
【００９２】
ＳＴ６７において、モード判別フラグＦＬ１が「１０」で有るか否かを判別する。イエス（Ｙ）の場合はＳＴ６８に移り、ノー（Ｎ）の場合はＳＴ６９に移る。
ＳＴ６８において、使用する記録シートＳのシート種類がタイミング変更シート種類で有るか否かを判別する。ノー（Ｎ）の場合はＳＴ６５に移り、イエス（Ｙ）の場合はＳＴ６６に移る。
ＳＴ６９において、モード判別フラグＦＬ１が「０１」で有るか否かを判別する。イエス（Ｙ）の場合はＳＴ７０に移り、ノー（Ｎ）の場合はＳＴ６５に移る。
ＳＴ７０において、使用する記録シートＳのシートサイズがタイミング変更シートサイズ以下で有るか否かを判別する。ノー（Ｎ）の場合はＳＴ６５に移り、イエス（Ｙ）の場合はＳＴ６６に移る。
【００９３】
（実施例３の作用）
前記構成を備えた実施例３のシート搬送装置としての手差し給紙装置６では、シートサイズやシート種類にかかわらず、異音の発生を防止するための取出ロール移動タイミング変更給紙処理を実行しない固定モードを、ユーザの入力により選択できる。また、シート種類にかかわらずシートサイズのみに基づいて取出ロール移動タイミング変更給紙処理を実行するサイズ連動モードと、シートサイズにかかわらずシート種類のみに基づいて処理を行う種類連動モードと、シートサイズ及びシート種類に基づいて処理を行うサイズ・種類連動モードとを、ユーザの入力により切り替えることができる。
したがって、実施例３の手差し給紙装置６は、異音の発生を抑えることを優先するか、異音の発生よりも給紙間隔を狭くすることを優先するかを、ユーザが選択することができる。その他、実施例３の手差し給紙装置６は、実施例１の手差し給紙装置６と同様の作用効果を奏する。
【産業上の利用可能性】
【００９４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ010）を下記に例示する。
（Ｈ01）本発明は、複写機に限定されず、プリンタ、ＦＡＸ、複合機等の画像形成装置に適用可能である。また、カラーの画像形成装置に限定されず、モノクロの画像形成装置にも適用可能である。さらに、電子写真方式の画像形成装置に限定されず、インクジェット記録方式等の他の記録方式の画像形成装置に適用可能である。
【００９５】
（Ｈ02）前記実施例において、シート搬送装置として手差し給紙装置６を例示したが、手差しトレイに限定されず、自動原稿搬送装置Ｕ２の原稿給紙トレイＴＧ１等に適用可能である。
（Ｈ03）前記実施例において、前記取出ロール４１を昇降させる構成は、実施例に記載された構成に限定されず、従来公知の種々の構成、機構を採用可能である。
（Ｈ04）前記実施例３において、シート種類とシートサイズに基づいてタイミング変更シートの判別を行ったが、シート坪量に基づいてタイミング変更シートの判別を行うことも可能である。
【００９６】
（Ｈ05）前記実施例において、タイミング変更シート種類やタイミング変更シートサイズ、タイミング変更シート坪量は、例示した種類やサイズ、坪量の値に限定されず、画像形成装置Ｕの機種等の設計に応じて変更可能である。また、Ａ４やＢ５等のシートサイズではなく、搬送方向の長さ（例えば、２１０ｍｍ等）を使用することも可能であるし、シート坪量に替えて密度を使用することも可能である。
（Ｈ06）前記実施例１、２において、タイミング変更シート種類に該当する場合、タイミング変更シートサイズ以下の場合、または、タイミング変更シート坪量未満の場合にロール移動タイミングを変更したが、これに限定されず、例えば、タイミング変更シート種類に該当し、且つ、タイミング変更シートサイズ以下の場合にロール移動タイミングを変更したり、タイミング変更シート種類に該当し、且つ、タイミング変更シートサイズ以下、且つ、タイミング変更シート坪量未満の場合にのみロール移動タイミングを変更することも可能である。
【００９７】
（Ｈ07）前記実施例３において、各モードの選択はユーザインタフェースからの入力に応じて選択されたが、これに限定されず、ディップスイッチやジャンパピン等により選択可能にすることも可能である。また、ユーザが選択不能とし、工場出荷時やサービスエンジニアが設定変更可能にすることも可能である。
（Ｈ08）前記実施例２において、ロール接触時間として、後端がさばきロール（２４＋４２）を通過する直前までの時間を使用したが、後端がさばきロール（２４＋４２）を通過する前、あるいは後の適切な時間にすることができる。前記ロール接触時間を短くした場合には、実施例２の場合に比べて給紙間隔を小さくしやすいが異音の発生する可能性が高くなる。しかし、従来技術と比べて、異音が発生する時間を短くする効果が期待できる。
【００９８】
（Ｈ09）前記実施例２において、ロール接触時間ｔ１は、記録シートのサイズに応じて予め記憶されていたが、ユーザの入力により手動で設定可能にすることも可能である。また、記録シートのサイズにかかわらず同じロール接触時間ｔ１とすることも可能である。
（Ｈ010）前記各実施例において、取出ロール４１、フィードロール２４及びリタードロール４２の駆動、駆動停止のタイミングを同じタイミングで行ったが、これに限定されず、例えば、取出しロール４１にクラッチを設け、フィードロール２４及びリタードロール４２に記録シートの先端が到達した段階で取出しロール４１のみ駆動を停止する様に構成することも可能である。
【図面の簡単な説明】
【００９９】
【図１】図１は本発明の実施例の画像形成装置の全体説明図である。
【図２】図２は実施例１の手差しトレイの給紙装置部分の要部拡大説明図であり、取出ロールが給紙待機位置に保持された状態の説明図である。
【図３】図３は実施例１の手差しトレイの給紙装置部分を下方から見た要部拡大斜視図である。
【図４】図４は実施例１の手差しトレイの給紙装置部分を斜め上方からみた要部斜視説明図である。
【図５】図５はさばきロールやガイド部材を省略した給紙装置部分の斜視説明図である。
【図６】図６は図５の矢印ＶＩ方向から見た図である。
【図７】図７は取出ロールが給紙実行位置に移動した状態の説明図である。
【図８】図８は取出ロールが給紙実行位置に移動した状態でシート前端位置決め部材のロックが解除された状態の説明図である。
【図９】図９は取り出しロールで記録シートの給紙を行っている状態の説明図である。
【図１０】図１０は実施例１の画像形成装置の制御部分が備えている各機能をブロック図（機能ブロック図）で示した図である。
【図１１】図１１は実施例１の画像形成装置の給紙処理のメインフローチャートである。
【図１２】図１２は実施例１の通常給紙処理のフローチャートであり、図１１のＳＴ５のサブルーチンのフローチャートである。
【図１３】図１３は実施例１の取出ロール移動タイミング変更給紙処理のフローチャートであり、図１１のＳＴ６のサブルーチンのフローチャートである。
【図１４】図１４は実施例２の画像形成装置の制御部分が備えている各機能をブロック図（機能ブロック図）で示した図であり、実施例１の図１０に対応する図である。
【図１５】図１５は実施例２の取出ロール移動タイミング給紙処理のサブルーチンのフローチャートであり、実施例１の図１３に対応する図である。
【図１６】図１６は実施例３の画像形成装置の制御部分が備えている各機能をブロック図（機能ブロック図）で示した図であり、実施例１の図１０に対応する図である。
【図１７】図１７は実施例３の異音防止モード選択画像の説明図である。
【図１８】図１８は実施例３の異音防止モード選択処理のフローチャートである。
【図１９】図１９は実施例３の給紙処理のメインフローチャートであり、実施例１の図１１に対応する図である。
【符号の説明】
【０１００】
２４＋４２…さばき部材、
４１…取出ロール、
Ｃ１１…モード切替手段、
Ｃ７Ｂ…ロール移動タイミング変更手段、
Ｓ…記録シート、
ＴＲ０…手差しトレイ，給紙トレイ。
【図１】
2006069782.tif 000003
【図２】
2006069782.tif 000004
【図３】
2006069782.tif 000005
【図４】
2006069782.tif 000006
【図５】
2006069782.tif 000007
【図６】
2006069782.tif 000008
【図７】
2006069782.tif 000009
【図８】
2006069782.tif 000010
【図９】
2006069782.tif 000011
【図１０】
2006069782.tif 000012
【図１１】
2006069782.tif 000013
【図１２】
2006069782.tif 000014
【図１３】
2006069782.tif 000015
【図１４】
2006069782.tif 000016
【図１５】
2006069782.tif 000017
【図１６】
2006069782.tif 000018
【図１７】
2006069782.tif 000019
【図１８】
2006069782.tif 000020
【図１９】
2006069782.tif 000021